(57)【要約】【課題】電源起動後、起動処理中であることを確認することができる表示装置および制御方法を提供すること。【解決手段】本発明の実施形態に係る表示装置１は、電源をオンにするように利用者が操作すると、信号再生部１０２における起動処理が終了して、受信信号に係る映像および音声が出力されるまでは、予め楽音データ記憶部１０４に記憶された楽音データを再生して放音することができる。したがって、利用者は、電源をオンにする操作後に、表示装置１からの楽音の放音を聴取することができるから、受信信号に係る映像および音声が出力されなくても、起動処理を行っていることを認識することができる。【選択図】図１
2009284233.tif 000002
【特許請求の範囲】
【請求項１】
操作者による操作に応じて起動指示信号を出力する指示手段と、
映像信号およびオーディオ信号を含む信号を入力する入力手段と、
前記起動指示信号が出力されると、前記入力手段によって入力された信号に含まれる映像信号およびオーディオ信号を再生するための処理を行う再生手段と、
前記再生手段の処理によって再生された映像信号およびオーディオ信号をそれぞれ表示手段および放音手段に供給する供給手段と、
楽音データを記憶する記憶手段と、
前記起動指示信号が出力されると、前記記憶手段に記憶された楽音データを再生してオーディオ信号の生成を開始する生成手段と、
前記再生手段の処理によって再生が行われる前に、前記生成手段によって生成されたオーディオ信号を放音手段に放音させる制御手段と
を具備することを特徴とする表示装置。
【請求項２】
選択されるべき楽音データを示す選択情報を外部装置から取得する取得手段
をさらに具備し、
前記記憶手段は、複数の楽音データを記憶し、
前記生成手段は、前記記憶手段に記憶された複数の楽音データのうち前記取得手段によって取得された選択情報が示す楽音データを選択し、選択した楽音データを再生する
ことを特徴とする請求項１に記載の表示装置。
【請求項３】
前記入力手段によって入力される信号の送信元に応じて、再生すべき楽音データを決定する決定手段
をさらに具備し、
前記記憶手段は、複数の楽音データを記憶し、
前記生成手段は、前記記憶手段に記憶された複数の楽音データのうち前記決定手段によって決定された楽音データを再生する
ことを特徴とする請求項１に記載の表示装置。
【請求項４】
前記指示手段によって起動指示信号が出力された日または時刻を認識し、認識した日または時刻に応じて、再生すべき楽音データを決定する決定手段
をさらに具備し、
前記記憶手段は、複数の楽音データを記憶し、
前記生成手段は、前記記憶手段に記憶された複数の楽音データのうち前記決定手段によって決定された楽音データを再生する
ことを特徴とする請求項１に記載の表示装置。
【請求項５】
前記記憶手段に記憶させる楽音データを外部装置から取得する楽音データ取得手段
をさらに具備することを特徴とする請求項１乃至請求項４のいずれかに記載の表示装置。
【請求項６】
前記制御手段は、前記再生手段の処理によって再生が行われると、前記オーディオ信号の放音手段への放音を停止させる
ことを特徴とする請求項１乃至請求項５のいずれかに記載の表示装置。
【請求項７】
操作者による操作に応じて起動指示信号を出力する指示過程と、
映像信号およびオーディオ信号を含む信号を入力する入力過程と、
前記起動指示信号が出力されると、前記入力過程において入力された信号に含まれる映像信号およびオーディオ信号を再生するための処理を行う再生過程と、
前記再生過程における処理によって再生された映像信号およびオーディオ信号をそれぞれ表示手段および放音手段に供給する供給過程と、
前記起動指示信号が出力されると、記憶手段に記憶された楽音データを再生してオーディオ信号の生成を開始する生成過程と、
前記再生過程における処理によって再生が行われる前に、前記生成過程において生成されたオーディオ信号を放音手段に放音させる制御過程と
を備えることを特徴とする制御方法。
【発明の詳細な説明】
【技術分野】
【０００１】
本発明は、テレビなどにおける起動処理の進行確認のための報知技術に関する。
【背景技術】
【０００２】
従来のアナログ放送を受信するテレビにおいては、電源を入れることにより、すぐに放送を受信して、その映像および音声を楽しむことができる。また、特許文献１には、テレビなど電気機器の電源を入れるなどの操作により、音による報知を行う技術が開示されている。
【特許文献１】特開平９−１０１７９６号公報
【発明の開示】
【発明が解決しようとする課題】
【０００３】
ところで、近年、デジタル放送が開始されたことにより、デジタル放送を受信できるテレビの普及が進んでいるが、このようなテレビは、受信機能などがデジタル化に伴って複雑化、高負荷化し、電源を入れても初期化などの起動処理が数秒間行われ、その間には映像および音声が出力されない。したがって、その間は電源が入った後の起動処理中であるのか、操作ミス、故障などにより電源が入らずに起動処理が行われていないのかを認識することができなかった。このようなテレビに、上記特許文献１に記載の技術を用いても、電源を入れる操作が行われたことを報知できるだけであり、映像および音声を出力するための起動処理中であるかどうかについては認識できなかった。
【０００４】
本発明は、上述の事情に鑑みてなされたものであり、電源起動後、起動処理中であることを確認することができる表示装置および制御方法を提供することを目的とする。
【課題を解決するための手段】
【０００５】
上述の課題を解決するため、本発明は、操作者による操作に応じて起動指示信号を出力する指示手段と、映像信号およびオーディオ信号を含む信号を入力する入力手段と、前記起動指示信号が出力されると、前記入力手段によって入力された信号に含まれる映像信号およびオーディオ信号を再生するための処理を行う再生手段と、前記再生手段の処理によって再生された映像信号およびオーディオ信号をそれぞれ表示手段および放音手段に供給する供給手段と、楽音データを記憶する記憶手段と、前記起動指示信号が出力されると、前記記憶手段に記憶された楽音データを再生してオーディオ信号の生成を開始する生成手段と、前記再生手段の処理によって再生が行われる前に、前記生成手段によって生成されたオーディオ信号を放音手段に放音させる制御手段とを具備することを特徴とする表示装置を提供する。
【０００６】
また、別の好ましい態様において、選択されるべき楽音データを示す選択情報を外部装置から取得する取得手段をさらに具備し、前記記憶手段は、複数の楽音データを記憶し、前記生成手段は、前記記憶手段に記憶された複数の楽音データのうち前記取得手段によって取得された選択情報が示す楽音データを選択し、選択した楽音データを再生することを特徴とする。
【０００７】
また、別の好ましい態様において、前記入力手段によって入力される信号の送信元に応じて、再生すべき楽音データを決定する決定手段をさらに具備し、前記記憶手段は、複数の楽音データを記憶し、前記生成手段は、前記記憶手段に記憶された複数の楽音データのうち前記決定手段によって決定された楽音データを再生することを特徴とする。
【０００８】
また、別の好ましい態様において、前記指示手段によって起動指示信号が出力された日または時刻を認識し、認識した日または時刻に応じて、再生すべき楽音データを決定する決定手段をさらに具備し、前記記憶手段は、複数の楽音データを記憶し、前記生成手段は、前記記憶手段に記憶された複数の楽音データのうち前記決定手段によって決定された楽音データを再生することを特徴とする。
【０００９】
また、別の好ましい態様において、前記記憶手段に記憶させる楽音データを外部装置から取得する楽音データ取得手段をさらに具備することを特徴とする。
【００１０】
また、別の好ましい態様において、前記制御手段は、前記再生手段の処理によって再生が行われると、前記オーディオ信号の放音手段への放音を停止させることを特徴とする。
【００１１】
また、本発明は、操作者による操作に応じて起動指示信号を出力する指示過程と、映像信号およびオーディオ信号を含む信号を入力する入力過程と、前記起動指示信号が出力されると、前記入力過程において入力された信号に含まれる映像信号およびオーディオ信号を再生するための処理を行う再生過程と、前記再生過程における処理によって再生された映像信号およびオーディオ信号をそれぞれ表示手段および放音手段に供給する供給過程と、前記起動指示信号が出力されると、記憶手段に記憶された楽音データを再生してオーディオ信号の生成を開始する生成過程と、前記再生過程における処理によって再生が行われる前に、前記生成過程において生成されたオーディオ信号を放音手段に放音させる制御過程とを備えることを特徴とする制御方法を提供する。
【発明の効果】
【００１２】
本発明によれば、電源起動後、起動処理中であることを確認することができる表示装置および制御方法を提供することができる。
【発明を実施するための最良の形態】
【００１３】
以下、本発明の一実施形態について説明する。
【００１４】
＜実施形態＞
本発明の実施形態に係る表示装置１は、液晶ディスプレイ、プラズマディスプレイ、有機ＥＬディスプレイなどのデジタル放送を受信可能なテレビである。以下、表示装置１の構成について、図１を用いて説明する。図１は、表示装置１の構成を示すブロック図である。なお、表示装置１は、図示しないＣＰＵ（Ｃｅｎｔｒａｌ  Ｐｒｏｃｅｓｓｉｎｇ  Ｕｎｉｔ）を有し、このＣＰＵは、表示装置１の各部を制御している。
【００１５】
信号受信部１０１は、放送電波を受信するチューナであって、受信によって得られる受信信号を出力する。この受信信号は、映像部分の信号（以下、受信映像信号という）および音声部分の信号（以下、受信オーディオ信号という）を含み、また、その他の様々な情報（番組情報など）を含んでいる。
【００１６】
信号再生部１０２は、後述する制御部１０９によって信号再生を開始する指示を受けると、信号受信部１０１から受信信号が入力され、その受信信号に含まれるデジタル信号の受信映像信号および受信オーディオ信号を再生することによりアナログ信号に変換して出力する。このとき、信号再生部１０２は、制御部１０９の指示によって信号再生を開始すると、受信映像信号および受信オーディオ信号を再生するための起動処理を開始し、起動処理が終了すると受信映像信号および受信オーディオ信号を出力する。
【００１７】
ここで、起動処理とは、受信映像信号および受信オーディオ信号を再生するための回路の初期化処理および再生に係るデコード処理などであって、この起動処理には、所定の時間（以下、起動時間ｔ１という）を要する。すなわち、制御部１０９の指示によって信号再生を開始してから起動時間ｔ１経過後に受信映像信号および受信オーディオ信号が出力されることになる。なお、この起動時間ｔ１は、起動処理のたびに変化してもよいし、変化しないものであってもよい。
【００１８】
表示部１０３は、液晶ディスプレイ、プラズマディスプレイ、有機ＥＬディスプレイなどの表示デバイスであって、信号再生部１０２から出力された受信映像信号に応じた表示を行う。
【００１９】
楽音データ記憶部１０４は、ハードディスク、不揮発性メモリなどの記憶手段であって、所定の楽音を示す楽音データが記憶されている。楽音データは、この例においてはＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データなどのシーケンスデータであるものとするが、ＷＡＶＥ形式、ＭＰ３形式などのオーディオデータであってもよい。そして、楽音の内容は、楽曲であってもよいし、サイン波などの音であってもよい。この例においては、楽音データ記憶部１０４には、複数の楽音データが記憶されているものとするが、複数でなくてもよい。
【００２０】
楽音データ再生部１０５は、楽音データを再生してオーディオ信号（以下、楽音オーディオ信号という）を出力可能な音源を有する。楽音データ再生部１０５は、制御部１０９によって楽音再生を開始する指示を受けると、楽音データ記憶部１０４に記憶された楽音データからランダムに選択した一の楽音データを読み出し、音源を用いて楽音データを再生して楽音オーディオ信号を出力する。ここで、楽音データ再生部１０５は、シーケンスデータを再生して楽音オーディオ信号を出力するだけであり、信号再生部１０２における処理に比べて負荷の少ない簡易的な処理であるから、制御部１０９の指示によって楽音再生を開始してから楽音オーディオ信号を出力するまでに要する時間ｔ２は、上述した起動時間ｔ１に比べて極めて短い時間となる。
【００２１】
出力部１０６は、信号再生部１０２から出力された受信オーディオ信号、および楽音データ再生部１０５から出力された楽音オーディオ信号を取得し、制御部１０９の指示に従って、いずれか一方を出力オーディオ信号として出力する。
【００２２】
放音部１０７は、出力部１０６から出力された出力オーディオ信号を放音するスピーカなどの放音手段である。
【００２３】
起動指示部１０８は、表示装置１の電源のオンオフを切り替えるためのスイッチを有し、利用者によるスイッチの操作によって表示装置１の電源をオンにすると、起動指示信号を出力する。また、リモコンを用いて電源を切り替えることもでき、リモコンにより表示装置１の電源をオンにする操作が行われると、赤外線通信などにより起動指示部１０８にその操作が行われたことを示す信号が送信され、起動指示部１０８は、その信号を受信すると起動指示信号を出力する。
【００２４】
制御部１０９は、起動指示部１０８から起動指示信号が入力されると、表示装置１の各部に電源を供給する制御を行うとともに、上述したような各種指示、すなわち、信号再生部１０２に対しては、信号再生を開始する指示をし、楽音データ再生部１０５に対しては、楽音再生を開始する指示をする。また、出力部１０６に対しては、出力オーディオ信号として出力すべき信号を指示する。
【００２５】
制御部１０９が出力部１０６に対して行う指示は、具体的には以下のように行う。制御部１０９は、起動指示部１０８から起動指示信号が入力されると、信号再生部１０２から受信オーディオ信号または受信映像信号の出力状態を監視する。そして、信号再生部１０２における起動処理により受信オーディオ信号または受信映像信号が再生される前、すなわち、受信オーディオ信号または受信映像信号が出力される前においては、制御部１０９は、楽音データ再生部１０５から出力される楽音オーディオ信号を出力オーディオ信号として出力するように出力部１０６に対して指示する。
【００２６】
その後、信号再生部１０２における起動処理が終了し、受信オーディオ信号または受信映像信号が出力されると、制御部１０９は、信号再生部１０２から出力される受信オーディオ信号を出力オーディオ信号として出力するように出力部１０６に対して指示する。
【００２７】
このようにして制御部１０９の指示によって制御される出力部１０６の動作について、図２を用いて説明する。図２は、出力部１０６に入力される受信オーディオ信号および楽音オーディオ信号、そして、出力部１０６から出力される出力オーディオ信号について、時刻の進行に伴う変化を示したものである。また、起動指示部１０８から起動指示信号が出力されたタイミングを時刻「０」としている。
【００２８】
図２に示すように、起動指示部１０８から起動指示信号が出力されると、出力部１０６には、時刻ｔ２において楽音再生部１０５から楽音オーディオ信号が入力される。そして、時刻ｔ１になると、信号再生部１０２における起動処理が終了し、信号再生部１０２から受信オーディオ信号が入力される。したがって、制御部１０９の指示により、出力部１０６から出力される出力オーディオ信号は、起動指示信号が出力された後（楽音オーディオ信号が出力された後）、時刻ｔ１までは楽音オーディオ信号であり、その後は受信オーディオ信号となる。
【００２９】
このように、本発明の実施形態に係る表示装置１は、電源をオンにするように利用者が操作すると、信号再生部１０２における起動処理が終了して、受信信号に係る映像および音声が出力されるまでは、予め楽音データ記憶部１０４に記憶された楽音データを再生して放音することができる。したがって、利用者は、電源をオンにする操作後に、表示装置１からの楽音の放音を聴取することができるから、受信信号に係る映像および音声が出力されなくても、起動処理を行っていることを認識することができる。
【００３０】
以上、本発明の実施形態について説明したが、本発明は以下のように、さまざまな態様で実施可能である。
【００３１】
＜変形例１＞
上述した実施形態においては、楽音再生部１０５は、楽音データ記憶部１０４に記憶された複数の楽音データからランダムに選択した楽音データを読み出していたが、外部装置から選択されるべき楽音データを示す選択情報を取得して、その選択情報が示す楽音データを読み出すようにしてもよい。この場合は、図３に示すように、選択情報を外部装置から取得するために、無線または有線によって通信を行う通信部１１０を設け、制御部１０９は、取得した選択情報が示す楽音データを楽音データ再生部１０５に読み出させるように制御すればよい。なお、外部装置は、リモコンであってもよいし、ネットワークに接続されたサーバなどであってもよい。
【００３２】
また、選択情報は、放送電波によって取得してもよい。この場合は、制御部１０９は、信号受信部１０１によって出力される受信信号から選択情報を抽出して取得し、取得した選択情報が示す楽音データを楽音データ再生部１０５に読み出させるように制御すればよい。このように、楽音データ再生部１０５が読み出すべき楽音データは、外部装置から指定されるものであってもよい。
【００３３】
＜変形例２＞
上述した実施形態においては、楽音再生部１０５は、楽音データ記憶部１０４に記憶された複数の楽音データ（楽音データＡ、楽音データＢ、楽音データＣ、・・・）からランダムに選択した楽音データを読み出していたが、受信する放送局（Ｃｈ１、Ｃｈ２、・・・）、すなわち受信信号に係る放送電波の送信元に応じて、選択されるようにしてもよい。
【００３４】
この場合には、制御部１０９には、楽音データ記憶部１０４に記憶された楽音データの各々と、放送局とを対応付けたテーブル（図４（ａ）参照）を記憶しておく。そして、制御部１０９は、信号受信部１０１から出力される受信信号に含まれる送信元の放送局の情報を取得して、その放送局に対応する楽音データを再生すべき楽音データとして決定し、楽音データ再生部１０５に読み出させるように制御すればよい。なお、制御部１０９による再生すべき楽音データの決定は、予め記憶されたテーブルに基づくものに限られず、放送局の名称に近似したファイル名称の楽音データを決定するなど、放送局に応じて再生すべき楽音データを決定するものであれば、どのように決定してもよい。また、これらのテーブルについては、図示しない操作手段を用いたり、通信手段による通信を用いたりして設定内容を変更できるようにしてもよい。
【００３５】
＜変形例３＞
上述した実施形態においては、楽音再生部１０５は、楽音データ記憶部１０４に記憶された複数の楽音データ（楽音データＡ、楽音データＢ、楽音データＣ、・・・）からランダムに選択した楽音データを読み出していたが、利用者によって電源をオンにする操作が行われたとき、すなわち起動指示部１０８から起動指示信号が出力されたときの時刻に応じて、選択されるようにしてもよい。
【００３６】
この場合には、制御部１０９には、楽音データ記憶部１０４に記憶された楽音データの各々と、所定の時刻範囲とを対応付けたテーブル（図４（ｂ）参照）を記憶し、また、現在時刻を認識する計時手段を有するようにする。そして、制御部１０９は、起動指示部１０８から起動指示信号が出力されたときの時刻を計時手段によって認識し、認識した時刻を含む時刻範囲に対応する楽音データを再生すべき楽音データとして決定し、楽音データ再生部１０５に読み出させるように制御すればよい。なお、制御部１０９による再生すべき楽音データの決定は、予め記憶されたテーブルに基づくものに限られず、朝昼夜に対応して楽音データを決定するなど、時刻に応じて再生すべき楽音データを決定するものであれば、どのように決定してもよい。
【００３７】
また、時刻ではなく、日付に応じて再生すべき楽音データを決定するようにしてもよい。この場合には、制御部１０９に記憶するテーブルについて、楽音データの各々と所定の日付とを対応付けたものとすればよい。このとき、１年間全ての日付に対して対応付けるのではなく、図４（ｃ）に示すように、祝日に対応する楽音データ（図においては楽音データＢ）、特定の日（誕生日、記念日など）に対応する楽音データ（図においては楽音データＣ）を予め設定しておき、対応付ける対象の指定が無い場合に対応する楽音データ（図においては楽音データＡ）についても設定しておけばよい。なお、制御部１０９による再生すべき楽音データの決定は、予め記憶されたテーブルに基づくものに限られず、曜日、季節などに対応して楽音データを決定するなど、日付に応じて再生すべき楽音データを決定するものであれば、どのように決定してもよい。また、これらのテーブルについては、図示しない操作手段を用いたり、通信手段による通信を用いたりして設定内容を変更できるようにしてもよい。
【００３８】
＜変形例４＞
上述した実施形態においては、楽音データは予め楽音データ記憶部に記憶されていたが、外部装置から取得して記憶させるようにしてもよい。この場合には、図３に示すように、楽音データを外部装置から取得するために、無線または有線によって通信を行う通信部１１０を設け、取得した楽音データを楽音データ記憶部１０４に記憶させればよい。また、楽音データの取得は、通信によるものだけでなく、放送電波を通じたものでもよいし、受信オーディオ信号に係る音声、外部音声などを録音することによって得られるものであってもよい。
【００３９】
＜変形例５＞
上述した実施形態においては、受信オーディオ信号が信号再生部１０２から出力されたとき、すなわち起動指示信号が出力されてから起動時間ｔ１が経過した後、出力部１０６から出力される出力オーディオ信号は、楽音オーディオ信号から受信オーディオ信号へ切り替わるように制御部１０９によって制御されていたが、このような制御を行わず、別の処理により切り替わるようにしてもよい。
【００４０】
例えば、出力部１０６は、受信オーディオ信号と楽音オーディオ信号とを加算して出力するような構成としておき、起動時間ｔ１が固定した時間である場合には、楽音データ再生部１０５における再生時間をｔ１に固定することで、受信オーディオ信号が信号再生部１０２から出力されるタイミングには、楽音オーディオ信号が楽音データ再生部１０５から出力されなくなるようにすればよい。このようにしても、実施形態における出力部１０６から出力される出力オーディオ信号と同様なものとすることができる。なお、再生時間をｔ１としなくても、楽音データに係る再生時間がｔ１になるようなデータ長のデータとして楽音データ記憶部１０４に記憶しておいてもよい。
【００４１】
＜変形例６＞
上述した実施形態においては、起動指示信号が出力されてから起動時間ｔ１が経過した後、出力部１０６から出力される出力オーディオ信号は、楽音オーディオ信号から受信オーディオ信号へ切り替わるように制御部１０９によって制御されていたが、受信オーディオ信号および楽音オーディオ信号の双方を加算して出力オーディオ信号として出力されるようにしてもよい。このときに、受信オーディオ信号と楽音オーディオ信号との出力レベルを調整してもよく、例えば、楽音オーディオ信号の出力レベルを小さくすれば、バックグラウンド音楽のようにして楽音データに係る楽音を放音させることができる。すなわち、制御部１０９は、少なくとも、受信オーディオ信号が信号再生部１０２から出力される前に、楽音オーディオ信号を放音部１０７から放音するようにしていれば、起動処理中であることを利用者に認識させることができるから、起動処理の終了後については、どのような制御としてもよい。
【００４２】
＜変形例７＞
上述した実施形態においては、起動指示信号が出力されてから起動時間ｔ１が経過した後、出力部１０６から出力される出力オーディオ信号は、楽音オーディオ信号から受信オーディオ信号へ切り替わるように制御部１０９によって制御されていたが、切り替わるときに一部の期間が重複するようにして切り替えてもよい。また、その切り替え時にクロスフェード処理を行なってもよいし、楽音オーディオ信号だけがフェードアウトするように処理してもよい。
【００４３】
＜変形例８＞
上述した実施形態においては、制御部１０９は、信号再生部１０２から受信オーディオ信号が出力されることにより、信号再生部１０２における起動処理が終了したことを認識していたが、信号再生部１０２における起動処理の進行状況を認識するようにしてもよい。そして、制御部１０９は、起動処理の進行の停止、遅延が発生したときには、楽音オーディオ信号の出力の停止、出力レベルの変動、楽音データ再生速度の変更などにより、異常な状況であることを報知するようにしてもよい。
【００４４】
また、起動時間ｔ１が固定されていない場合においては、制御部１０９は、起動処理が進むほど楽音オーディオ信号の出力レベルを小さくするなど、進行状況に応じて楽音オーディオ信号の出力レベルを変化させてもよい。このようにすると、表示装置１が起動処理中であるか否かだけでなく、起動処理の進行状況についても楽音の放音により確認することができる。
【００４５】
＜変形例９＞
上述した実施形態においては、楽音データ記憶部１０４に記憶された楽音データは、楽音を示すデータであったが、音声合成用のパラメータなどを示すものでもよい。この場合には、楽音データ再生部１０５は、その音声合成用のパラメータに基づいて合成した音声を示す楽音オーディオ信号を出力するようにすればよい。
【００４６】
＜変形例１０＞
上述した実施形態においては、楽音オーディオ信号および受信オーディオ信号は、出力部１０６において出力オーディオ信号として出力されることにより、放音部１０７から放音されていたが、楽音オーディオ信号と受信オーディオ信号とは、それぞれ別の放音部から放音されるものでもよい。この場合には、放音部は、放音部１０７Ａ、１０７Ｂにより構成され、受信オーディオ信号は放音部１０７Ａに、楽音オーディオ信号は放音部１０７Ｂに放音されるようにすればよい。
【００４７】
そして、制御部１０９は、出力部１０６を制御するのではなく、楽音オーディオ信号の出力の制御または放音部１０７Ｂの制御により、受信オーディオ信号が信号再生部１０２から出力されると、楽音オーディオ信号の放音部１０７Ｂからの放音を停止させればよい。
【００４８】
＜変形例１１＞
上述した実施形態、変形例においては、楽音データ再生部１０５により読み出される楽音データの選択について、様々な態様を示したが、例えば、実施形態に示したようにランダムに選択する態様、変形例３の日付に応じて選択する態様、時刻に応じて選択する態様などを全て対応可能な構成とし、対応可能な選択の態様のうち、受信する放送局に応じていずれの選択の態様を用いるかを決定するようにしてもよい。例えば、Ｃｈ１を受信するときは、ランダムに選択する態様、Ｃｈ２を受信するときは、変形例３の日付に応じて選択する態様とすればよい。なお、このように、使用する選択の態様の決定には、放送局に限らず、日付、時刻に応じて決定するようにしてもよい。
【００４９】
＜変形例１２＞
上述した実施形態における表示装置１が双方向通信を行うテレビ電話などに適用されている場合には、通信相手に応じて再生すべき楽音データを決定してもよい。この場合には、以下のようにすればよい。制御部１０９は、着信時に通信相手を認識する認識手段を有するとともに、楽音データ記憶部１０４に記憶された楽音データの各々と通信相手とを対応付けるテーブルを記憶しておく。そして、制御部１０９は、認識手段が認識した通信相手に対応する楽音データを再生すべき楽音データとして決定し、楽音データ再生部１０５に読み出させるように制御すればよい。
【００５０】
＜変形例１３＞
上述した実施形態において、信号受信部１０１は、放送電波を受信するチューナであったが、放送電波の受信ではなく、ネットワークに接続されたサーバなどから映像部分の信号および音声部分の信号を含むデジタルデータを受信する通信手段であってもよい。また、映像部分の信号および音声部分の信号を含むデジタルデータを予め記憶した記憶手段から、そのデジタルデータを読み出す読出手段であってもよい。そして、このようにして取得したデジタルデータを受信信号として信号再生部１０２に入力するようにすればよい。
【図面の簡単な説明】
【００５１】
【図１】実施形態に係る表示装置の構成を示すブロック図である。
【図２】実施形態に係る出力部に係るオーディオ信号の入出力の態様についての説明図である。
【図３】変形例１、４に係る表示装置の構成を示すブロック図である。
【図４】変形例２、３に係る制御部に記憶されるテーブルの説明図である。
【符号の説明】
【００５２】
１…表示装置、１０１…信号受信部、１０２…信号再生部、１０３…表示部、１０４…楽音データ記憶部、１０５…楽音データ再生部、１０６…出力部、１０７…放音部、１０８…起動指示部、１０９…制御部、１１０…通信部
【図１】
2009284233.tif 000003
【図２】
2009284233.tif 000004
【図３】
2009284233.tif 000005
【図４】
2009284233.tif 000006